(57)【特許請求の範囲】
【請求項１】
ステップと、前記ステップに搭乗したオペレータの頭上を覆うヘッドガードと、前記ステップの後端部から後方に向かって延びた一対のフォークとを含む昇降可能な運転台を備えたピックキングリフトにおいて、前記オペレータが転落するのを防止する転落防止装置であって、
前記ステップの後端部を含む鉛直面から後方に前記ヘッドガードを延長してなるヘッドガード延長部と、
上端部が前記ヘッドガード延長部に固定され、下端部が前記ヘッドガード延長部から下方に向かって延びて、前記フォークの挿入されたパレットの上方のパレット上空間の少なくとも一部を囲むように配置された固定式ガード部と、
を備え、
前記ヘッドガード延長部は、前記ヘッドガードの側端部を前記鉛直面から後方に延長してなる側端延長部を含み、
前記固定式ガード部は、上端部が前記側端延長部に固定され、下端部が前記側端延長部から下方に向かって延びて、前記パレット上空間の側面の少なくとも一部を塞ぐように配置された側方ガード部を含み、
前記側方ガード部の下端部は、前記パレット上空間の側面に沿って前後方向に延び、かつ、前記ステップに近づくほど該下端部と前記側端延長部との距離が短くなるように配置されている
ことを特徴とする転落防止装置。
【請求項２】
前記側方ガード部の下端部は、前記パレットの上面から上方に所定距離だけ離間されて配置されていることを特徴とする請求項１に記載の転落防止装置。
【請求項３】
前記側方ガード部の下端部に前後方向に広がるように取り付けられ、前記パレット上空間の側面の下側部分の少なくとも一部を塞ぐように配置された半透明または不透明の平板状の目隠し用ガード部をさらに備えたことを特徴とする請求項１または２に記載の転落防止装置。
【請求項４】
前記目隠し用ガード部は、前記ヘッドガードの前側隅部を支持する支柱部に至るまで延びていることを特徴とする請求項３に記載の転落防止装置。
【請求項５】
前記ヘッドガード延長部は、前記ヘッドガードの後端部を前記鉛直面から後方に延長してなる後端延長部をさらに含み、
前記固定式ガード部は、上端部が前記後端延長部に固定され、下端部が前記後端延長部から下方に向かって延びて、前記パレット上空間の少なくとも一部を囲うように配置された後方ガード部をさらに含むことを特徴とする請求項１〜４のいずれかに記載の転落防止装置。
【請求項６】
前記ヘッドガード延長部は、前記側端延長部のみから構成されていることを特徴とする請求項１〜４のいずれかに記載の転落防止装置。
【請求項７】
請求項１〜６のいずれかに記載の転落防止装置を備えたことを特徴とするピッキングリフト。
【発明の詳細な説明】
【技術分野】
【０００１】
本発明は、ピッキングリフトの運転台に搭乗したオペレータが転落するのを防止する転落防止装置、および該転落防止装置を備えたピッキングリフトに関する。
【背景技術】
【０００２】
工場の倉庫等において使用されるフォークリフトとして、例えば、図９に示すように、バッテリや走行用モータ等を内蔵した車両本体２と、車両本体２の後方に設けられたマスト３と、マスト３に沿って昇降する運転台４とを備えたピッキングリフト１００が知られている。
このピッキングリフト１００の運転台４は、ステップ１０と、ステップ１０に搭乗したオペレータ（不図示）の頭上を覆うヘッドガード１２と、ステップ１０の後端部１０Ｂから後方に向かって延びた一対のフォーク１３と、オペレータの前方に設けられた操作盤１４とを含んでいる。
【０００３】
ステップ１０の前側隅部には支柱部１１が立設されている。支柱部１１は、その上端部においてヘッドガード１２の前側隅部を支持している。
ヘッドガード１２の左右の側端部１２Ｌ、１２Ｒは、支柱部１１の上端部から後方に向かって、ステップ１０の後端部１０Ｂおよびヘッドガード１２の後端部１２Ｂを含む鉛直面（ステップ１０の後側隅部から上方へ延びる線Ｙ１、Ｙ２を含む平面）に至るまで延びている。
パレットＰにはフォーク１３が挿入されている。
【０００４】
ところで、このピッキングリフト１００による荷役作業には、オペレータが操作盤１４を操作して、オペレータを乗せた運転台４を例えば図９に示すような高所まで移動させ、高所においてパレットＰ上に積まれている荷物をラック（いずれも不図示）に移したり、ラックに保管されている荷物をパレットＰ上に移したりするピッキング作業が含まれる。このため、ピッキングリフト１００の運転台４には、オペレータの転落を防止するための転落防止装置（図９の安全ガード１５を参照）が備えられている。
【０００５】
この安全ガード１５によれば、ステップ１０上に立ったオペレータの腰回りが包囲されるので、操作盤１４を操作しているオペレータが誤ってステップ１０の外に足を踏み出して運転台４から転落するのを防止することができる。しかしながら、この安全ガード１５では、パレットＰ上でピッキング作業を行っているオペレータの転落を防止することはできない。
【０００６】
また、従来の転落防止装置として、特許文献１に記載のものも知られている。
この特許文献１に記載の転落防止装置は、ステップ１０の上方の空間およびパレットＰの上方のパレット上空間（パレットＰの後側隅部から上方に延びる線Ｙ３、Ｙ４と、上記線Ｙ１、Ｙ２とで形成される空間）の一部を包囲する安全ガードを備えている。この転落防止装置によれば、操作盤１４を操作しているオペレータだけでなく、パレットＰ上でピッキング作業を行っているオペレータの転落を防ぐこともできる。
【先行技術文献】
【特許文献】
【０００７】
【特許文献１】特許第４００１３３７号公報
【発明の概要】
【発明が解決しようとする課題】
【０００８】
しかしながら、特許文献１に記載の転落防止装置には、ピッキング作業時に、安全ガードが立上げられて開放されるように構成されている（特許文献１の段落［００３３］を参照）ので、パレット上空間等が開放されることによってオペレータが転落に対する恐怖心を抱くとともに、誤って転落しかけた場合には何もつかまるものがなく、オペレータの転落を効果的に防止することができないという問題があった。
【０００９】
本発明は上記事情に鑑みてなされたものであって、その課題とするところは、高所作業に伴うオペレータの恐怖心を軽減させて、オペレータの転落をより効果的に防止することができる転落防止装置、および該転落防止装置を備えたピッキングリフトを提供することにある。
【課題を解決するための手段】
【００１０】
上記課題を解決するため、本発明は、（１）ステップと、前記ステップに搭乗したオペレータの頭上を覆うヘッドガードと、前記ステップの後端部から後方に向かって延びた一対のフォークとを含む昇降可能な運転台を備えたピックキングリフトにおいて、前記オペレータが転落するのを防止する転落防止装置であって、前記ステップの後端部を含む鉛直面から後方に前記ヘッドガードを延長してなるヘッドガード延長部と、上端部が前記ヘッドガード延長部に固定され、下端部が前記ヘッドガード延長部から下方に向かって延びて、前記フォークの挿入されたパレットの上方のパレット上空間の少なくとも一部を囲むように配置された固定式ガード部と、を備え、前記ヘッドガード延長部は、前記ヘッドガードの側端部を前記鉛直面から後方に延長してなる側端延長部を含み、前記固定式ガード部は、上端部が前記側端延長部に固定され、下端部が前記側端延長部から下方に向かって延びて、前記パレット上空間の側面の少なくとも一部を塞ぐように配置された側方ガード部を含み、前記側方ガード部の下端部は、前記パレット上空間の側面に沿って前後方向に延び、かつ、前記ステップに近づくほど該下端部と前記側端延長部との距離が短くなるように配置されていることを特徴とする転落防止装置としたものである。
この構成によれば、ヘッドガードを後方に延長してなるヘッドガード延長部に固定された固定式ガード部が、パレット上空間の少なくとも一部を囲むように配置されているので、「固定式ガード部によって守られている」という安心感をオペレータに抱かせ、転落の恐怖心を軽減させることができる。
また、ピッキング作業時にオペレータが誤って転落しかけた場合でも、パレット上空間に配置されている固定式ガード部につかまることができるので、オペレータの転落をより効果的に防止することができる。
また、ヘッドガードの側端部を後方に延長してなる側端延長部に固定された側方ガード部が、パレット上空間の側面の少なくとも一部を塞ぐように配置されているので、「側方ガード部によって守られている」という安心感をオペレータに抱かせ、転落の恐怖心を軽減させることができる。
また、ピッキング作業時にオペレータが誤って転落しかけた場合でも、パレット上空間の側面に配置されている側方ガード部につかまることができるので、オペレータの転落をより効果的に防止することができる。
また、側方ガード部の下端部が、ステップに近づくほど側端延長部との距離が短くなるように配置されているので、ピッキング作業時に、例えば運転台の側方のラックからパレット上に荷物を移す場合やその逆の作業を行う場合に、該荷物が側方ガード部の下端部に接触しにくくなり、ピッキング作業を円滑にすることができる。
【００１２】
上記構成（１）において、（２）前記側方ガード部の下端部は、前記パレットの上面から上方に所定距離だけ離間されて配置されていることが好ましい。
この構成によれば、側方ガード部の下端部とパレットの上面とが所定距離だけ離間しているので、オペレータが運転台に乗降したり、パレット上でピッキング作業を行ったりする際に、オペレータの足のつま先等が側方ガード部の下端部に引っ掛かって転倒したり転落したりするのを防止することができる。
【００１４】
上記構成（１）または（２）において、（３）前記側方ガード部の下端部に前後方向に広がるように取り付けられ、前記パレット上空間の側面の下側部分の少なくとも一部を塞ぐように配置された半透明または不透明の平板状の目隠し用ガード部をさらに備えたことが好ましい。
この構成によれば、側方ガード部に取り付けられた平板状の目隠し用ガード部が、パレット上空間の側面の下側部分の少なくとも一部を塞ぐように配置されて、オペレータの視界の一部を遮るので、転落の恐怖心を軽減させることができる。
【００１５】
上記構成（３）において、（４）前記目隠し用ガード部は、前記ヘッドガードの前側隅部を支持する支柱部に至るまで延びていることが好ましい。
この構成によれば、目隠し用ガード部が、パレット上空間の側面の下側部分だけでなく、ステップ上の空間の側面の下側部分の少なくとも一部をも塞ぐように配置されて、オペレータの視界をより広範囲にわたって遮るので、転落の恐怖心をより軽減させることができる。
【００１６】
上記構成（１）〜（４）のいずれかにおいて、（５）前記ヘッドガード延長部は、前記ヘッドガードの後端部を前記鉛直面から後方に延長してなる後端延長部をさらに含み、前記固定式ガード部は、上端部が前記後端延長部に固定され、下端部が前記後端延長部から下方に向かって延びて、前記パレット上空間の少なくとも一部を囲うように配置された後方ガード部をさらに含むことが好ましい。
この構成によれば、ヘッドガードの後端部を後方に延長してなる後端延長部に固定された後方ガード部が、パレット上空間の少なくとも一部を囲うように配置されているので、「後方ガード部によって守られている」という安心感をオペレータに抱かせ、転落の恐怖心を軽減させることができる。
また、ピッキング作業時にオペレータが誤って転落しかけた場合でも、パレット上空間内に配置されている後方ガード部につかまることができるので、オペレータの転落をより効果的に防止することができる。
【００１７】
上記構成（１）〜（４）のいずれかにおいて、（６）前記ヘッドガード延長部は、前記側端延長部のみから構成されていることが好ましい。
この構成によれば、ヘッドガード延長部が、側端延長部のみから構成されることによって軽量化されて、ピッキングリフトの重心が前寄りになるので、運転台が高所にあってパレット上に多数の重い荷物等が載せられた状態でオペレータがピッキング作業を行う場合のピッキングリフトの予期せぬ転倒を防止することができる。
【００１８】
また、上記課題を解決するため、本発明は、（７）上記構成（１）〜（６）のいずれかに記載の転落防止装置を備えたことを特徴とするピッキングリフトとしたものである。
【発明の効果】
【００１９】
本発明によれば、高所作業に伴うオペレータの恐怖心を軽減させて、オペレータの転落をより効果的に防止することができる転落防止装置、および該転落防止装置を備えたピッキングリフトを提供することができる。
【図面の簡単な説明】
【００２０】
【図１】本発明の第１実施例に係る転落防止装置を備えたピッキングリフトの斜視図である。
【図２】本発明の第２実施例に係る転落防止装置を備えたピッキングリフトの斜視図である。
【図３】本発明の第３実施例に係る転落防止装置を備えたピッキングリフトの斜視図である。
【図４】本発明の第４実施例に係る転落防止装置を備えたピッキングリフトの斜視図である。
【図５】本発明の第５実施例に係る転落防止装置を備えたピッキングリフトの斜視図である。
【図６】本発明の第６実施例に係る転落防止装置を備えたピッキングリフトの斜視図である。
【図７】本発明の第７実施例に係る転落防止装置を備えたピッキングリフトの斜視図である。
【図８】本発明の第８実施例に係る転落防止装置を備えたピッキングリフトの斜視図である。
【図９】従来の転落防止装置を備えたピッキングリフトの斜視図であり、運転台が高所にある状態を示す。
【発明を実施するための形態】
【００２１】
以下、添付図面を参照しつつ、本発明に係るピッキングリフトの転落防止装置、および該転落防止装置を備えたピッキングリフトの好ましい実施例について説明する。
【００２２】
（第１実施例）
本発明の第１実施例に係るピッキングリフト１Ａは、図１に示すように、従来のピッキングリフト１００（図９を参照）と同様、バッテリや走行用モータ等を内蔵した車両本体２と、車両本体２の後方に設けられたマスト３と、マスト３に沿って昇降する運転台４とを備えている。
【００２３】
運転台４は、ステップ１０と、ステップ１０の前側隅部に立設された支柱部１１と、ステップ１０に搭乗したオペレータの頭上を覆うヘッドガード１２と、ステップ１０の後端部１０Ｂから後方に向かって延びた一対のフォーク１３と、オペレータの前方に設けられた操作盤１４と、不図示の安全ガード（図９を参照）とを含んでいる。
【００２４】
支柱部１１は、その上端部においてヘッドガード１２の前側隅部を支持している。
操作盤１４は、ピッキングリフト１Ａを任意の方向に走行させたり、運転台４を昇降させたりするための各種操作手段を有し、支柱部１１の間に設けられている。
パレットＰにはフォーク１３が挿入されている。
【００２５】
また、運転台４は、ヘッドガード延長部１６と、固定式ガード部１７とを備えた転落防止装置をさらに含んでいる。
ヘッドガード延長部１６は、ステップ１０の後端部１０Ｂを含む鉛直面（図１のステップ１０の後側隅部から上方へ延びる線Ｙ１、Ｙ２を含む平面）から後方にヘッドガード１２を延長してなるものである。
固定式ガード部１７は、その上端部がヘッドガード延長部１６に固定され、その下端部がヘッドガード延長部１６から下方に向かって延びて、パレットＰの上方のパレット上空間（パレットＰの後側隅部から上方に延びる線Ｙ３、Ｙ４と、上記線Ｙ１、Ｙ２とで形成される空間）の少なくとも一部を囲むように配置されている。
【００２６】
より詳細には、ヘッドガード延長部１６は、ヘッドガード１２の左右の側端部１２Ｌ、１２Ｒを上記鉛直面から後方に延長してなる側端延長部１６Ｌ、１６Ｒと、ヘッドガード１２の後端部を上記鉛直面から後方に延長してなる後端延長部１６Ｂと、を含んでいる。
固定式ガード部１７は、側端延長部１６Ｌ、１６Ｒの前方寄りの位置から下方に向かって延びる前方フレーム１７ｆと、側端延長部１６Ｌ、１６Ｒの後方寄りの位置から下方に向かって延びる後方フレーム１７ｒと、前方フレーム１７ｆおよび後方フレーム１７ｒを互いに連結する複数の中間フレーム１７ｍとから構成された梯子状の側方ガード部１７Ｌ、１７Ｒからなる。側方ガード部１７Ｌ、１７Ｒの各上端部は、任意の固定手段（例えば、固定ボルトや溶接等）によって、側端延長部１６Ｌ、１６Ｒに固定されている。側方ガード部１７Ｌ，１７Ｒの各下端部は、側端延長部１６Ｌ、１６Ｒから下方に向かってパレットＰの上面に至るまで（パレットＰの上面に接触しない程度まで）延びて、パレット上空間の左右の各側面の少なくとも一部を塞ぐように配置されている。
【００２７】
なお、ヘッドガード延長部１６（側端延長部１６Ｌ、１６Ｒ）の前後方向の長さＬ１６は、任意とすることができるが、パレットＰの長さＬＰ（あるいはフォーク１３の長さＬ１３）に応じて決定されるのが好ましく、より詳細には、０．５×ＬＰ≦Ｌ１６≦ＬＰ（あるいは０．５×Ｌ１３≦Ｌ１６≦Ｌ１３）に決定されるのが好ましい。Ｌ１６＞ＬＰ（あるいはＬ１６＞Ｌ１３）とすると、ピッキングリフト１Ａの全長が長くなり、車両の取り回しが悪くなるからである。また、Ｌ１６＜０．５×ＬＰ（あるいはＬ１６＜０．５×Ｌ１３）とすると、ヘッドガード延長部１６に取り付け可能な固定式ガード部１７の面積が小さくなり、転落防止効果が弱まってしまうからである。
【００２８】
また、ヘッドガード１２およびヘッドガード延長部１６（側端延長部１６Ｌ、１６Ｒ）は、ステップ１０に対して平行になっているが、完全に平行である必要はなく、上下いずれかの方向に傾いていてもよい。
【００２９】
このピッキングリフト１Ａの転落防止装置によれば、ヘッドガード１２（ヘッドガード１２の側端部１２Ｌ、１２Ｒ）を後方に延長してなるヘッドガード延長部１６（側端延長部１６Ｌ、１６Ｒ）に固定された固定式ガード部１７（側方ガード部１７Ｌ、１７Ｒ）が、パレット上空間の少なくとも一部を囲むように（パレット上空間の左右の各側面の少なくとも一部を塞ぐように）配置されているので、「固定式ガード部１７（側方ガード部１７Ｌ、１７Ｒ）によって守られている」という安心感をオペレータに抱かせ、転落の恐怖心を軽減させることができる。
また、ピッキングリフト１Ａの転落防止装置によれば、ピッキング作業時にオペレータが誤って転落しかけた場合でも、パレット上空間に配置されている固定式ガード部１７（側方ガード部１７Ｌ、１７Ｒ）につかまることができるので、オペレータの転落をより効果的に防止することができる。
【００３０】
（第２実施例）
本発明の第２実施例に係るピッキングリフト１Ｂは、側方ガード部１７Ｌ、１７Ｒを、中間フレーム１７ｍを除く前方フレーム１７ｆと後方フレーム１７ｒのみで構成した点が、第１実施例に係るピッキングリフト１Ａと異なる。
図２に示すように、前方フレーム１７ｆおよび後方フレーム１７ｒの上端部は、任意の固定手段によって、側端延長部１６Ｌ、１６Ｒに固定されている。
【００３１】
このピッキングリフト１Ｂの転落防止装置によれば、第１実施例で説明した効果に加え、固定式ガード部１７に使用される部材を減らすことができ、その軽量化やコストダウンに貢献することができる。
【００３２】
（第３実施例）
本発明の第３実施例に係るピッキングリフト１Ｃは、転落防止装置の側方ガード部１７Ｌ、１７Ｒの下端部を、パレットＰの上面から上方に所定距離だけ離間して配置した点が、第１実施例に係るピッキングリフト１Ａと異なる。
図３に示すように、側方ガード部１７Ｌ、１７Ｒの前方フレーム１７ｆおよび後方フレーム１７ｒの下端部が、パレットＰの上面から上方に所定距離だけ離間されて配置されている。なお、この所定距離は、該下端部とパレットＰの上面との間にオペレータの例えば足のつま先を入れることが可能な程度の長さ以上の距離であることが好ましい。
【００３３】
このピッキングリフト１Ｃの転落防止装置によれば、第１実施例で説明した効果に加え、オペレータが運転台４に乗降したり、パレットＰ上でピッキング作業を行ったりする際に、オペレータのつま先等が側方ガード部１７Ｌ、１７Ｒの下端部に引っ掛かって転倒したり転落したりするのを防止することができる。
【００３４】
（第４実施例）
本発明の第４実施例に係るピッキングリフト１Ｄは、転落防止装置の側方ガード部１７Ｌ、１７Ｒの下端部を、パレット上空間の左右の側面に沿って前後方向に延ばし、かつ、ステップ１０に近づくほど該下端部と側端延長部１６Ｌ、１６Ｒとの距離が短くなるように配置した点が、第３実施例に係るピッキングリフト１Ｃと異なる。
図４に示すように、側方ガード部１７Ｌ、１７Ｒの前方フレーム１７ｆは後方フレーム１７ｒよりも短く、最も下方にある中間フレーム１７ｍは、前方フレーム１７ｆおよび後方フレーム１７ｒの各下端部間に連結されている。このため、側方ガード部１７Ｌ、１７Ｒの下端部は、ステップ１０に近づくほど該最も下方にある中間フレーム１７ｍと側端延長部１６Ｌ、１６Ｒとの距離が短くなるように、配置されている。
【００３５】
このピッキングリフト１Ｄの転落防止装置によれば、第３実施例で説明した効果に加え、ピッキング作業時に、例えば運転台４の側方のラックからパレットＰ上に荷物を移す場合やその逆の作業を行う場合に、該荷物が側方ガード部１７Ｌ、１Ｒの下端部に接触しにくくなり、ピッキング作業を円滑にすることができる。
【００３６】
（第５実施例）
本発明の第５実施例に係るピッキングリフト１Ｅは、側方ガード部１７Ｌ、１７Ｒに取り付けられた目隠し用ガード部１８を備えた点が、第１実施例に係るピッキングリフト１Ａと異なる。
図５に示すように、目隠し用ガード部１８は、オペレータの視界を遮ることが可能な半透明または不透明の平板状の部材（例えば、ポリカーボネートや鉄板等）からなり、側方ガード部１７Ｌ、１７Ｒの下端部に前後方向に延びるように取り付けられ、パレット上空間の左右の各側面の特に下側部分の少なくとも一部を塞ぐように配置される。
【００３７】
このピッキングリフト１Ｅの転落防止装置によれば、第１実施例で説明した効果に加え、パレット上空間の左右の側面の下側部分の少なくとも一部を塞ぐように配置された目隠し用ガード部１８によってオペレータの視界の一部が遮られるので、転落の恐怖心を軽減させることができる。
【００３８】
（第６実施例）
本発明の第６実施例に係るピッキングリフト１Ｆは、転落防止装置の目隠し用ガード部１８を支柱部１１に至るまで（支柱部１１に接触させてもよい）延ばした点が、第５実施例に係るピッキングリフト１Ｅと異なる。
図６に示すように、側方ガード部１７Ｌ、１７Ｒを構成する一部の中間フレーム１７ｍは取り除かれている。これによって、後方フレーム１７ｒ、最も上方にある中間フレーム１７ｍ、ヘッドガード１２の側端部１２Ｌ（１２Ｒ）の前方寄りの位置に固定された前方フレーム１７ｆ、および目隠し用ガード部１８の上側の中間フレーム１７ｍで形成される開口部が大きくなり、ピッキング作業時のラックと運転台４（パレットＰ）との間の荷物の移動を容易にすることができる。
なお、目隠し用ガード部１８は、比較的広範囲にわたって配置されているため、補強フレーム１７ｎ等で補強されるのが好ましい。
【００３９】
このピッキングリフト１Ｆの転落防止装置によれば、第５実施例で説明した効果に加え、パレット上空間およびステップ１０上の空間の左右の側面の下側部分の少なくとも一部を塞ぐように配置された目隠し用ガード部１８によってオペレータの視界がより広範囲にわたって遮られるので、転落の恐怖心をより軽減させることができる。
【００４０】
（第７実施例）
本発明の第７実施例に係るピッキングリフト１Ｇは、固定式ガード１７がヘッドガード延長部１６の後端延長部１６Ｂに固定された後方ガード部１７Ｂをさらに含む点が、第３実施例に係るピッキングリフト１Ｃと異なる。
図７に示すように、後方ガード部１７Ｂは、その上端部が後端延長部１６Ｂに固定され、その下端部が後端延長部１６Ｂから下方に向かって延びて、パレット上空間の少なくとも一部を囲うように配置されている。
後方ガード部１７Ｂは、後端延長部１６Ｂの左側寄りの位置および右側寄りの位置にそれぞれ１つずつ互いに離間して設けられている。これらの後方ガード部１７Ｂの間は、荷物の移動が可能な程度の距離に形成されているのが好ましい。
なお、後方ガード部１７Ｂが固定された後端延長部１６Ｂは、図７においては、パレットＰの後端部を含む鉛直面の少し前方まで延びているが、パレットＰの後端部の存在をオペレータに認識させるために、パレットＰの後端部を含む鉛直面に至るまで延びていることがより好ましい。
【００４１】
このピッキングリフト１Ｇの転落防止装置によれば、第３実施例で説明した効果に加え、後端延長部１６Ｂに固定された後方ガード部１７Ｂがパレット上空間の少なくとも一部を囲うように配置されていることにより「後方ガード部によって守られている」という安心感をオペレータに抱かせ、転落の恐怖心を軽減させることができる。
また、ピッキング作業時にオペレータが誤って転落しかけた場合でも、パレット上空間内に配置されている後方ガード部１７Ｂにつかまることができるので、オペレータの転落をより効果的に防止することができる。
【００４２】
（第８実施例）
本発明の第８実施例に係るピッキングリフト１Ｈは、図８に示すようにヘッドガード延長部１６を後端延長部１６Ｂを除く側端延長部１６Ｌ、１６Ｒのみから構成した点が、第１実施例に係るピッキングリフト１Ａと異なる。
【００４３】
このピッキングリフト１Ｈの転落防止装置によれば、第１実施例で説明した効果に加え、ヘッドガード延長部１６が側端延長部１６Ｌ、１６Ｒのみから構成されることによって軽量化されて、ピッキングリフト１Ｈの重心が前寄りになるので、例えば、運転台４が高所にあってパレットＰ上に多数の重い荷物等が載せられた状態でオペレータがピッキング作業を行う場合のピッキングリフト１Ｈの予期せぬ転倒を防止することができる。
【００４４】
以上、本発明に係る転落防止装置、およびピッキングリフトの実施形態について説明したが、本発明の構成は上記構成に限定されるものではない。
【００４５】
上記各実施例では、固定式ガード部１７（側方ガード部１７Ｌ、１７Ｒ、および後方ガード部１７Ｂ）や目隠し用ガード部１８を、ヘッドガード延長部１６の左右両方に設けた構成としたが、これに限定されるものではなく、ヘッドガード延長部１６の左右いずれかに設けた構成としてもよい。
また、上記各実施例のいずれかの固定式ガード部１７や目隠し用ガード部１８を、ヘッドガード延長部１６の左右で異ならせるように、各種組み合わせてもよい。
【００４６】
固定式ガード部１７は、例えば金属やプラスチック等の任意の材質の部材からなるが、特に、軽量性と強度性を兼ね備えた部材からなるのが好ましい。
目隠し用ガード部１８も、ポリカーボネートや鉄板等に限定されるものではなく、オペレータの視界を遮る任意の部材が使用されることは言うまでもない。
【００４７】
固定式ガード部１７の側方ガード部１７Ｌ、１７Ｒや後方ガード部１７Ｂは、上記各実施例では梯子状や棒状となっていたが、これに限定されるものではなく、例えば、格子状、網目状、または櫛状等の様々な形状に構成されていてもよい。
【符号の説明】
【００４８】
１Ａ〜１Ｈ  ピッキングリフト
２  車両本体
３  マスト
４  運転台
１０  ステップ
１０Ｂ  ステップの後端部
１１  支柱部
１２  ヘッドガード
１２Ｂ  ヘッドガードの後端部
１２Ｌ、１２Ｒ  ヘッドガードの側端部
１３  フォーク
１４  操作盤
１５  安全ガード
１６  ヘッドガード延長部
１６Ｂ  後端延長部
１６Ｌ、１６Ｒ  側端延長部
１７  固定式ガード部
１７Ｂ  後方ガード部
１７Ｌ、１７Ｒ  側方ガード部
１７ｆ  前方フレーム
１７ｍ  中間フレーム
１７ｎ  補強フレーム
１７ｒ  後方フレーム
１８  目隠し用ガード部
Ｐ  パレット
Ｙ１〜Ｙ４  線
【要約】
【課題】高所作業に伴うオペレータの恐怖心を軽減させて、オペレータの転落をより効果的に防止することができる転落防止装置、および該転落防止装置を備えたピッキングリフトを提供する。
【解決手段】ステップ１０と、ステップ１０に搭乗したオペレータの頭上を覆うヘッドガード１２と、ステップ１０の後端部１０Ｂから後方に向かって延びた一対のフォーク１３とを含む昇降可能な運転台４を備えたピックキングリフト１Ａにおいて、オペレータが転落するのを防止する転落防止装置は、ステップ１０の後端部１０Ｂを含む鉛直面から後方にヘッドガード１２を延長してなるヘッドガード延長部１６と、上端部がヘッドガード延長部１６に固定され、下端部がヘッドガード延長部１６から下方に向かって延びて、フォーク１３の挿入されたパレットＰの上方のパレット上空間の少なくとも一部を囲うように配置された固定式ガード部１７と、を備えている。
【選択図】図１【図１】
0005413930.tif 000002
【図２】
0005413930.tif 000003
【図３】
0005413930.tif 000004
【図４】
0005413930.tif 000005
【図５】
0005413930.tif 000006
【図６】
0005413930.tif 000007
【図７】
0005413930.tif 000008
【図８】
0005413930.tif 000009
【図９】
0005413930.tif 000010